(57)【要約】【課題】検査に関する情報を外部から入力してＸ線撮影等を行う医療用検査システムにおいて、入力した情報が誤っていたり、検査以来情報に未定義の項目が含まれていたりする場合でも、読影や診断を行うことができるようにする。【解決手段】入力した情報が適正か否かを判断する手段と、上記入力情報が適正でなかったときに修正を促す手段または注意を促す手段、或いは適正に修正させる手段とを設けることで、データベースに適正なデータが格納されることとなり、医師や技師が検査画像を呼び出して診断する際の診断効率を向上させるとともに、診断以外の会計業務及び撮影依頼業務等についても滞りなく行えることができるようになる。【選択図】      図２
2004171386.tif 000002
【特許請求の範囲】
【請求項１】
外部から検査に関する情報を入力して、検査を行う医療用検査システムにおいて、
上記入力した検査に関する情報が適正か否かを判断する手段と、
上記検査に関する情報が適正か否かを判断する手段の結果に基づき、上記検査に関する情報が適正でない場合に修正を促す手段または注意を促す手段とを設けたことを特徴とする医療用検査システム。
【請求項２】
上記修正を促す手段または注意を促す手段は、入力項目を表示したウインドウを表示して、上記ウインドウ上の適正でない情報の項目に入力の為のフォーカスを当てるようにすることを特徴とする請求項１に記載の医療用検査システム。
【請求項３】
外部から検査に関する情報を入力して、検査を行う医療用検査システムにおいて、
上記入力した検査に関する情報が適正か否かを判断する手段と、
上記検査に関する情報が適正か否かを判断する手段の結果に基づき、上記検査に関する情報が適正でない場合に、適正に修正させる手段を設けたことを特徴とする医療用検査システム。
【請求項４】
上記適正に修正させる手段は、入力項目を表示したウインドウを表示して、上記ウインドウ上の適正でない情報の項目に入力の為のフォーカスを当てるようにするとともに、入力値をチェックして上記入力値が適正になるまで上記ウインドウを閉じさせないようにしたことを特徴とする請求項３に記載の医療用検査システム。
【請求項５】
外部から複数の項目で構成される検査に関する情報を入力して、検査を行う医療用検査システムにおいて、
上記入力した検査に関する情報が適正か否かを判断する手段と、
上記検査に関する情報が適正か否かを判断する手段の結果に基づき、上記検査に関する情報が適正でない場合に修正または注意を促す手段と、
上記検査に関する情報が適正か否かを判断する手段の結果に基づき、上記検査に関する情報が適正でない場合に適正に修正させる手段と、
上記検査に関する情報に含まれる項目に応じて、上記修正または注意を促す手段、或いは適正に修正させる手段の何れかに切替える手段とをもつことを特徴とする医療用検査システム。
【請求項６】
上記入力した検査に関する情報が適正か否かを判断する手段は、上記検査に関する情報に含まれる各項目に対するチェック項目と、不適切であったときに行う処理とを対応付けたテーブルに基づき、判断を行うようにしたことを特徴とする請求項１〜請求項５の何れか１項に記載の医療用検査システム。
【請求項７】
上記チェック項目とは、データの有無、データの種類、データの長さ、またはデータの妥当な範囲の少なくとも何れか１つを含み、上記不適切であったときに行う処理とは、データ入力用ウインドウを出して入力を促すこと、注意を促すように上記データの表示を変えること、またはデフォルトや与えられた式によって値を入れることの何れか１つであることを特徴とする請求項６に記載の医療用検査システム。
【請求項８】
外部から検査に関する情報を入力して、検査を行う医療用検査システムにおいて、
上記外部から入力される検査に関する情報に含まれる未定義のデータを少なくとも検査が終了するまで保持する手段と、
検査画像とともに、上記未定義のデータを出力する手段とを持つことを特徴とする医療用検査システム。
【請求項９】
上記検査に関する情報とは、患者単位の情報、検査単位の情報、または撮影単位の少なくとも何れか１つの情報であることを特徴とする請求項１〜８の何れか１項に記載の医療用検査システム。
【請求項１０】
上記医療用検査システムとは、被験者にＸ線を照射してＸ線透過画像を得るＸ線撮影システムであることを特徴とする請求項１〜９の何れか１項に記載の医療用検査システム。
【請求項１１】
ＨＩＳ、ＲＩＳとネットワークで接続されていることを特徴とする請求項１〜１０の何れか１項に記載の医療用検査システム。
【請求項１２】
外部から検査に関する情報を入力して、検査を行う医療用検査方法において、
上記入力した検査に関する情報が適正か否かを判断する工程と、
上記検査に関する情報が適正か否かを判断する工程の結果に基づき、上記検査に関する情報が適正でない場合に修正を促す手段または注意を促す工程とを設けたことを特徴とする医療用検査方法。
【請求項１３】
外部から検査に関する情報を入力して、検査を行う医療用検査方法において、
上記、入力した検査に関する情報が適正か判断する工程と、
上記検査に関する情報が適正か否かを判断する工程の結果に基づき、上記検査に関する情報が適正でない場合に適正に修正させる工程とを有することを特徴とする医療用検査方法。
【請求項１４】
外部から複数の項目で構成される検査に関する情報を入力して、検査を行う医療用検査方法において、
上記入力した検査に関する情報が適正か否かを判断する工程と、
上記検査に関する情報が適正か否かを判断する工程の結果に基づき、上記検査に関する情報が適正でない場合に修正または注意を促す工程と、
上記検査に関する情報が適正か判断する工程の結果に基づき、上記検査に関する情報が適正でない場合に適正に修正させる工程と、
上記検査に関する情報に含まれる項目に応じて、上記修正または注意を促す工程、或いは適正に修正させる工程の何れかに切替える工程を有することを特徴とする医療用検査方法。
【請求項１５】
外部から検査に関する情報を入力して、検査を行う医療用検査方法において、
上記外部から入力される検査に関する情報に含まれる未定義のデータを少なくとも検査が終了するまで保持する工程と、
上記検査に関する画像とともに、上記未定義のデータを出力する工程を有することを特徴とする医療用検査方法。
【請求項１６】
外部から検査に関する情報を入力して、検査を行う医療用検査システムに用いるコンピュータ読み取り可能な記憶媒体であって、
上記入力した検査に関する情報が適正か否かを判断するコードと、
上記検査に関する情報が適正か否かを判断するコードの結果に基づき、上記検査に関する情報が適正でない場合に修正を促すコード、または注意を促すコードを記憶したことを特徴とするコンピュータ読み取り可能な記憶媒体。
【請求項１７】
外部から検査に関する情報を入力して、検査を行う医療用検査システムに用いるコンピュータ読み取り可能な記憶媒体であって、
上記入力した検査に関する情報が適正か否かを判断するコードと、
上記検査に関する情報が適正か否かを判断するコードの結果に基づき、上記検査に関する情報が適正でない場合に適正に修正させるコードを記憶したことを特徴とするコンピュータ読み取り可能な記憶媒体。
【請求項１８】
外部から複数の項目で構成される検査に関する情報を入力して、検査を行う医療用検査システムに用いるコンピュータ読み取り可能な記憶媒体であって、
上記入力した検査に関する情報が適正か否かを判断するコードと、
上記検査に関する情報が適正か判断するコードの結果に基づき、上記検査に関する情報が適正でない場合に修正または注意を促すコードと、
上記検査に関する情報が適正か否かを判断するコードの結果に基づき、上記検査に関する情報が適正でない場合に適正に修正させるコードと、
上記検査に関する情報に含まれる項目に応じて、上記修正または注意を促すコード、或いは適正に修正させるコードの何れかに切替えるコードとを記憶したことを特徴とするコンピュータ読み取り可能な記憶媒体。
【請求項１９】
外部から検査に関する情報を入力して、検査を行う医療用検査システムに用いるコンピュータ読み取り可能な記憶媒体であって、
上記外部から入力される検査に関する情報に含まれる未定義のデータを少なくとも上記検査が終了するまで保持するコードと、
上記検査に関する画像とともに、上記未定義のデータを出力するコードとを記憶したことを特徴とするコンピュータ読み取り可能な記憶媒体。
【発明の詳細な説明】
【０００１】
【発明の属する技術分野】
本発明は、例えば、病院内情報システム（ＨＩＳ）や放射線情報システム（ＲＩＳ）等から、患者情報、検査情報、撮影情報を入力して検査を遂行する、装置或いはシステムに用いられる検査システム、検査方法、及びそれを実施するためのプログラムを記憶したコンピュータ読み取り可能な記憶媒体に関するものである。
【０００２】
【従来の技術】
最近、病院では、医事会計業務、処方オーダー業務、診断支援業務を自動化して効率的な経営を目指すため、病院内の各部門間でＨＩＳ（Ｈｏｓｐｉｔａｌ  Ｉｎｆｏｍａｔｉｏｎ  Ｓｙｓｔｅｍ）と呼ばれる病院情報システムを構築し、また各部門内でも、例えば放射線部門ではＲＩＳ（Ｒａｄｉｏｌｏｇｙ  ＩｎｆｏｍａｔｉｏｎＳｙｓｔｅｍ）やＰＡＣＳ（Ｐｉｃｔｕｒｅ  ）、検体検査部門ではＬＩＳ等の各部門に合わせた情報システムを構築し、情報伝達のオンライン化を進めている。
【０００３】
このような、情報システムにおいては、検査結果をＨＩＳ、ＲＩＳ、ＰＡＣＳのサーバに保存し、病院内で情報を共有することができる。このネットワーク化の流れは、一般の開業医による個人経営の病院でも生じている。
【０００４】
図１０は、上述したような病院内のシステムにおいて、放射線部門のＲＩＳが有するＸ線撮影システム９００を示したものである。
Ｘ線撮影システム９００は、上記図１０に示すように、Ｘ線を発生するＸ線管球９２０、Ｘ線管球９２０でのＸ線の発生を制御するＸ線発生制御部９０１、及びＸ線発生指示等のための操作／表示部９０２を有するＸ線発生装置９３０と、Ｘ線撮影システム９００全体の動作制御を司るシステム制御装置９０７とを備えている。
【０００５】
システム制御装置９０７は、患者ＩＤ等を入力するためのＩＤ入力部９０９、及び各種動作指示等のための操作／表示部９０８を有し、Ｘ線発生装置９３０が接続されると共に、臥位センサパネル９０６により臥位のＸ線撮影が行える臥位センサユニット９０５が接続される。
【０００６】
センサパネル９０６は、Ｘ線画像をディジタル的に検出する。この検出デバイスに平面センサパネルを使ったＸ線画像取得方法がある。これは、Ｘ線に対して感度を持ち、検出したＸ線の強度に応じた電気信号に変換・出力する固体撮像素子を使う方法や、或いはＸ線のエネルギーを吸収し、それに応じた強度の蛍光を発する蛍光体と可視光に感度を持ちその強度に応じた電気信号に変換する光電変換素子を組み合わせたユニットを利用して、これらの素子からのアナログ信号をＡ／Ｄ変換によってディジタル化して取り込む方法である。
【０００７】
ここで、Ｘ線撮影システム９００は、Ｘ線管球９２０からのＸ線を被写体（被検者）に対して曝射し、当該被写体を透過したＸ線を臥位センサユニット９０５で受像することで、当該被写体のＸ線画像を取得するように構成されている。
【０００８】
Ｘ線撮影システム９００で得られるＸ線画像は、被写体を構成する組織の種類や、その厚さによる透過率の差を濃度として表現したものである。良好な状態のＸ線画像とは、できるだけ多くの情報が見やすい状態で表現されている画像であり、被写体の撮影姿勢や撮影条件等の撮影情報により大きく影響する。
【０００９】
図１１は、上記図１０のＸ線撮影システム９００を含む病院内のシステム１１００を示したものである。システム１１００は、上記図１１に示すように、病院内の各部門間の情報システムであるＨＩＳ１１４０と、放射線部門内の情報システムであるＲＩＳ１１６０及び画像診断システムＰＡＣＳ１１８０とが、通信可能なように接続された構成としている。
【００１０】
この図では、ＨＩＳ１１４０は、ＲＩＳ１１６０やＰＡＣＳ１１８０とドメインが異なるものとして、間にゲートウェイ１１９０を介す構成にしてある。
【００１１】
ＨＩＳ１１４０は、サーバ１１３１と、部門（Ａ）（１１３２（Ａ）），部門（Ｂ）（１１３２（Ｂ）），…のＷＳ（端末装置）１１３４（Ａ），１１３４（Ｂ），…とを備えている。
【００１２】
部門（Ａ），（Ｂ），…としては、会計部門、薬剤部門、診察部門（内科部門、外科部門、整形外科部門等）等が挙げられる。サーバ１１３１には、患者情報（ＩＤ、氏名、生年月日等の情報）、会計情報、処方情報が保持される。
【００１３】
ＲＩＳ１１６０は、ＨＩＳ１１４０との接続のためのゲートウェイ１１９０と、サーバ１１２６と、放射線部門１１２５のＷＳ（端末装置）１１０９と、検査室（Ａ）（１１２１（Ａ）），検査室（Ｂ）（１１２１（Ｂ）），…の検査システム１１２３（Ａ），１１２３（Ｂ），…とを備えている。
【００１４】
検査システム１１２３（Ａ），１１２３（Ｂ），…はそれぞれ、上記図１０に示したＸ線撮影システム９００に相当する。サーバ１１２６には、検査システム１１２３（Ａ），１１２３（Ｂ），…で検査を行うための検査パラメータ及び過去の実施済み情報のデータベースが含まれている。
【００１５】
画像診断システムＰＡＣＳ１１８０は、サーバ１１８１と図示されていない端末で構成されている。サーバ１１８１には、検査システム１１２３（Ａ），１１２３（Ｂ），…で取得された検査画像が保存される。
【００１６】
図１２は、検査におけるシーケンスを示す。Ｓ１、Ｓ２で放射線技師は、ＲＩＳ端末を使いＨＩＳのサーバ１１３１から、検査を行う患者情報を取得する。次に、前記得られた患者情報と医師から要求された撮影を行うための撮影条件等を設定して、検査に関する情報である検査依頼情報を検査システムに通信する（ステップＳ３）。
【００１７】
検査システム１１２３は得られた撮影条件に従って、画像を取得し（ステップＳ４）、検査終了時に、撮影枚数、撮影条件等を検査実施情報として、ＲＩＳサーバ１１２６に転送するとともに（ステップＳ５）、得られた画像をＰＡＣＳサーバ１１８１に転送する（ステップＳ７）。
【００１８】
ＲＩＳサーバ１１２６は、検査実施情報を受けると、実施情報を保存するとともに、撮影枚数などの会計情報をＨＩＳサーバ１１３１に渡す（ステップＳ６）。また、ＲＩＳサーバ１１２６は検査実施情報を、ＨＩＳサーバ１１３１は会計情報を、ＰＡＣＳサーバ１１８１は画像情報を、夫々（ステップＳ８）、（ステップＳ９）、（ステップＳ１０）でストレージに記録する。
【００１９】
上述のようなＸ線撮影システム１１００において、例えば、医師から発生する検査依頼情報を受けてＸ線撮影を行うための一連の処理の流れについて、図１０〜図１２を用いて説明する。
【００２０】
先ず、外来の患者は、外来受付を終えると、上記図１１の部門（Ａ），部門（Ｂ），…の中の、診断部門の該当する科（例えば、脳外科、内科、外科、整形外科等）に行き、カルテ、及び患者のＩＤ番号等の患者情報が記録された磁気カードを、当該診断部門（ここでは、部門（Ａ）とする）の窓口に提出する。患者の診断は、提出されたカルテ順に進められる。
【００２１】
部門（Ａ）の医師は、端末装置１１３４（Ａ）により、患者から提出された磁気カードのＩＤ番号を検索キーとして、ＨＩＳ１１４０のサーバ１１３１へアクセスし、サーバ１１３１で保持されている患者の個人データの中から、該当する患者の個人データを読み出し、当該個人データを参考にしながら、患者の診察を行う。
【００２２】
例えば、部門（Ａ）が外科であり、頚椎を診察する場合、頚椎４方向の撮影のＸ線画像が必要となる場合がある。頚椎４方向としては、例えば、「頚椎正面」、「頚椎側面」、「頚椎右後斜位」、及び「頚椎開口」がある。
【００２３】
医師は、照射録カードに対して頚椎４方向のＸ線撮影等の検査依頼を記載して、患者に手渡し、放射線部門１１２５の受付に行くよう指示する。
患者は、医師から渡された磁気カード及び照射録カードを持って放射線部門１１２５の受付へ行き、当該磁気カード及び照射録カードを担当者（ここでは、放射線技師とする）に渡す。
【００２４】
放射線技師は、端末装置１１０９より、患者の磁気カードに記録された患者ＩＤ及び検査番号等の患者情報を入力することで、ＨＩＳのサーバ１１３１から患者情報を取得でき（図１２のステップＳ１、ステップＳ２）、また、照射録に書かれた医師の撮影依頼内容を確認した上で、適切な撮影が行えるように撮影条件パラメータと必要に応じて画像処理パラメータや画像転送パラメータを決定する。また同時に、撮影技師名、撮影室など撮影に関する情報を入力する。
【００２５】
同じ頚椎４方向でも患者の体格や健康状態（骨折しているなど）によってパラメータが異なるなど、放射線技師の経験によるところが大きい。また４方向の内容も依頼科によってことなることもあるし、その順序も定まっていない。そのため、技師は、ＲＩＳ端末１１０９を使って、患者と医師が記載した照射録をみて、検査依頼情報を発行している。
【００２６】
放射線技師は、必要なパラメータを決定し終えると、検査依頼情報を、実際に撮影を行う検査システム１１２３（Ａ），１１２３（Ｂ），…の中の該当するシステム１１２３（ｘ）（ここでは、検査システム１１２３（Ａ）とする）に対して送信する（図１２のステップＳ３）と共に、患者が持っていた磁気カードに検査番号を書き込む。また、患者に対して、検査室１１２１（Ａ）の前で待機するように指示する。
【００２７】
放射線技師は、検査システム１１２３（Ａ）、すなわち上記図１０に示したＸ線撮影システム９００において、システム制御装置９０７のＩＤ入力部９０９により、患者のＩＤ番号等の患者情報が記録された磁気カードの当該患者情報を読み取り、当該患者情報に含まれる患者ＩＤ及び検査番号に基づいて、システム制御装置９０７で保持されている検査依頼情報リストの中から該当する検査依頼情報を選択し、操作／表示部９０８に、患者の氏名、年齢、性別などの患者を表示する。当該検査依頼オーダーの内容が、患者が所有している照射録カードに記載されている検査情報と一致しているか確認し、その確認後、待合所で待機している患者を呼び出す。
【００２８】
放射線技師は、操作／表示部９０８に設けられている開始ボタン（不図示）を押下する。これにより、当該撮影姿勢（例えば、「頚椎正面」）に対応するパラメータ（撮影条件パラメータ、画像処理のパラメータ、及び画像転送パラメータ等）が、Ｘ線撮影システム９００に設定される。
【００２９】
具体的には例えば、上記の開始ボタンの押下により、Ｘ線管球９２０の管電流、管電圧、照射時間、フォトタイマの採光野情報、照射絞りの大きさ、及び照射絞りの中心位置等を示すパラメータが、Ｘ線発生制御部９０１に対して設定され、撮影領域の大きさや位置、グリッド速度、及び画像処理等を示すパラメータが、システム制御装置９０７に対して設定される。
【００３０】
各種パラメータの設定終了後、放射線技師は、患者の整位を行い、操作／表示部９０８近傍に設けられている曝射スイッチ（不図示）を押下する。これにより、Ｘ線撮影システム９００では、患者のＸ線撮影が開始される。
【００３１】
すなわち、Ｘ線撮影システム９００において、上記の曝射スイッチの押下により、Ｘ線管球９２０からＸ線が、例えば、臥位センサユニット９０５に向かって照射される。
Ｘ線管球９２０からのＸ線は、被検者である患者を透過して、臥位センサパネル９０６に対して入射される。
【００３２】
臥位センサパネル９０６は、入射Ｘ線を電気信号に変換して増幅した後、ディジタル化等の信号処理を行うことで、当該入射線に対応したディジタル画像データを取得して出力する（図１２のステップＳ４）。
【００３３】
システム制御装置９０７は、臥位センサパネル９０６から出力されたディジタル画像データに対して、上述したようにして設定されたパラメータに基づいて、例えば、階調変換処理や強調処理等の様々な画像処理を施し、当該処理後のディジタル画像を、操作／表示部９０８で表示する。
【００３４】
放射線技師は、操作／表示部９０８で表示された画像を確認し、当該画像が所望する画像であり、再撮影の必要がない場合には、操作／表示部９０８に設けられている次撮影ボタン（不図示）を押下する。これにより、Ｘ線撮影システム９００では、患者の次の撮影姿勢（例えば、「頚椎開口」）のＸ線撮影が開始される。
【００３５】
上述のようにして、順次必要な撮影姿勢でのＸ線撮影が行なわれ、全てのＸ線撮影、すなわち検査依頼情報により示される全てのＸ線撮影が終了すると、放射線技師は、操作／表示部９０８に設けられている撮影終了ボタン（不図示）を押下する。
【００３６】
これにより、当該検査依頼オーダー完了となり、上記図１１に示したＲＩＳ１１６０のサーバ１１２６に対して、実施情報が転送される（図１２のステップＳ５）。これと同時にシステム制御装置９０７は、今回のＸ線撮影で得られた患者の撮影画像に対して、上述した設定パラメータ（画像転送パラメータ）に基づき任意のファイル形式で任意の圧縮処理等を施し、ＰＡＣＳサーバ１１８１に対して転送する（図１２のステップＳ７）。
【００３７】
ＰＡＣＳサーバ１１８１への転送は、通常ＤＩＣＯＭと呼ばれる医療用画像通信規格に則って行われることが多い。ＤＩＣＯＭでは、患者情報と検査情報と撮影情報をタグとして、画像と同時に１つのファイルを構成する。
【００３８】
また、ＲＩＳサーバ１１２６は検査実施情報を、ＨＩＳサーバ１１３１は会計情報を、ＰＡＣＳサーバ１１４０は画像情報を、夫々、図１２のステップＳ８、図１２のステップＳ９、図１２のステップＳ１０で夫々のシステムに所属しているストレージに記録する。医師は、ＨＩＳ端末或いは、ＰＡＣＳの端末から、ＰＡＣＳサーバより画像を得て診断を行う（例えば、特許文献１）。
【００３９】
【特許文献１】
特開２００２−２０００６２号公報
【００４０】
【発明が解決しようとする課題】
しかしながら、上記図１０〜図１２に示したような従来の撮影システムでは、次のような問題点（１）、（２）があった。
【００４１】
（１）入力データが適正かチェックしていなかったので、入力したデータが誤っていた場合や、診断に必須の項目の入力が行われない状態で撮影が行われると、その結果、誤った実施情報やデータ無しで、ＲＩＳやＰＡＣＳに転送されて保存されてしまうという課題が存在していた。
【００４２】
そこで、医師または、技師がＰＡＣＳサーバから画像を呼び出して診断する時に、大きな支障を与えていた。又、修正しようとするとＨＩＳ、ＲＩＳ、ＰＡＳＣ夫々のデータベースを修正しなければならず煩わしかった。
【００４３】
（２）外部から入力される検査依頼情報に未定義の項目が含まれていた場合、このデータを受け取ることができず、撮影画像とともにＰＡＣＳに送ることができないという課題が存在していた。そのため、撮影画像にはこのデータが付加されておらず、読影及び診断の効率が低下していた。
【００４４】
【課題を解決するための手段】
上記目的を達成するため、本出願に関わる第一の発明は、外部から検査に関する情報を入力して、検査を行う医療用検査システムにおいて、上記入力した検査に関する情報が適正か否かを判断する手段と、上記検査に関する情報が適正か否かを判断する手段の結果に基づき、上記検査に関する情報が適正でない場合に修正を促す手段または注意を促す手段とを設けたことを特徴とする。
【００４５】
上記目的を達成するため、本出願に関わる第二の発明は、外部から検査に関する情報を入力して、検査を行う医療用検査システムにおいて、上記入力した検査に関する情報が適正か否かを判断する手段と、上記検査に関する情報が適正か否かを判断する手段の結果に基づき、上記検査に関する情報が適正でない場合に、適正に修正させる手段を設けたことを特徴とする。
【００４６】
上記目的を達成するため、本出願に関わる第三の発明は、外部から複数の項目で構成される検査に関する情報を入力して、検査を行う医療用検査システムにおいて、上記入力した検査に関する情報が適正か否かを判断する手段と、上記検査に関する情報が適正か否かを判断する手段の結果に基づき、上記検査に関する情報が適正でない場合に修正または注意を促す手段と、上記検査に関する情報が適正か否かを判断する手段の結果に基づき、上記検査に関する情報が適正でない場合に適正に修正させる手段と、上記検査に関する情報に含まれる項目に応じて、上記修正または注意を促す手段、或いは適正に修正させる手段の何れかに切替える手段とをもつことを特徴とする。
【００４７】
上記目的を達成するため、本出願に関わる第四の発明は、外部から検査に関する情報を入力して、検査を行う医療用検査システムにおいて、上記外部から入力される検査に関する情報に含まれる未定義のデータを少なくとも検査が終了するまで保持する手段と、検査画像とともに、上記未定義のデータを出力する手段とを持つことを特徴とする。
【００４８】
【発明の実施の形態】
（第１の実施の形態）
本発明は、ＨＩＳ、ＲＩＳ等外部から入力した撮影依頼情報が不適当であったときに、それが原因でユーザに不利益を与えないようにすることが主目的で、例えば、図２に示すようなＸ線撮影システム２００に適用される。
【００４９】
図１は、本発明のキーとなる部分で、入力した撮影依頼情報が正しいかチェックするためのチェックテーブルである。
【００５０】
＜撮影依頼情報チェックテーブル＞
ＨＩＳ、ＲＩＳ等外部から入力される撮影依頼情報は、図６で示されるように、患者に所属する患者情報、検査に所属する検査情報、検査の中の撮影に所属する撮影情報で構成される。この例では、１検査で４回の撮影が行われることを示している。
【００５１】
図１は、入力された撮影依頼情報（図６で図示）が適正かチェックし、もし適正でなければどのような処理を行うか記載した撮影依頼情報チェックテーブルである。患者ＩＤ、患者氏名など各入力項目に対して、属性、データの有無、データ種類、データ長、妥当値、及びチェックタイプが指定可能である。
【００５２】
属性欄では、その入力情報が運用するシステムにとって、必須かどうかの区別をつける。これは、システムで必要な入力項目の入れ忘れのチェックや逆にシステムで不要な項目を入力しないようにチェックするためである。“必須”、“任意”の他に“未使用”が選択できる。“必須”は、システムで必要な項目、“任意”は、あっても無くても良い項目、“未使用”は不要な項目を表している。
【００５３】
有無欄では、データが無い状態、つまりＮＵＬＬ値を許すかどうかの設定である。“なし”と“あり”が選択でき、“なし”の場合は、必ずデータが必要で、ありの場合はＮＵＬＬ文字も許可されていることを示している。
【００５４】
データ種類欄では、入力データの種類を定義する。内容は、半角英数字、ＪＩＳ  Ｘ２０２１（全角コード）、半角数字など文字コード種類とコード内容のカテゴリの組み合わせで表現される。例えば、この例では、患者ＩＤは、アルファベットと数字の組み合わせのみ許している。プログラム的には、メモリのデータ型が決まる。
【００５５】
データ長は、入力データの最大の長さを定義している。この例では、患者ＩＤは、１２バイトであり、データ種類が半角英数字なので、１２桁までの入力が可能であることが分かる。
【００５６】
妥当値欄は、データの取れる値の範囲を規定している。例えば、患者年齢は、０歳以上であり、最高齢者でも１３０歳程度であることから、０〜２００の数値が妥当値として設定されている。また、妥当値として、医師テーブル、技師テーブルなど、別テーブルを参照しても良い。
【００５７】
チェックタイプ欄は、実際のチェックをかける時の処理内容を記載したもので、チェックをかける項目の種類と、もし入力データが適正でなかった時にどのような処理を行うか示している。ここでは、チェックテーブルの内容を参照するようになっている。
【００５８】
システム制御装置２２５が、ＨＩＳ及びＲＩＳから検査依頼情報を受け取り、撮影を開始するまでに、図１の撮影依頼情報チェックテーブルを参照しながら、各入力情報の妥当性をチェックして適切な処理を行う。
【００５９】
＜Ｘ線撮影システム２００の全体構成＞
Ｘ線撮影システム２００は、例えば、病院内のシステムにおいて、放射線部門のＲＩＳが有するＸ線撮影システムとして用いられるものであり、上記図２に示すように、被写体に対してＸ線を発生するＸ線発生装置２５０と、本システム２００全体の動作制御を司るシステム制御装置２２５とが、互いに通信可能なように接続された構成としている。
【００６０】
Ｘ線発生装置２５０は、Ｘ線を発生するＸ線管球２３１及びＸ線管球２３１でのＸ線の発生を制御するＸ線発生制御部２３０を備えている。
【００６１】
システム制御装置２２５は、画像取得制御部２１６、操作／表示部２１２の制御部（操作／表示制御部）２１３、撮影依頼情報チェック部２１５、通信部２１８、画像転送部２１９、ＲＡＭ２２３、及びＣＰＵ２２０が、バス２６０を介して互いに通信可能に接続された構成としている。
【００６２】
通信部２１８はネットワーク２２２と接続されており、この通信部２１８により、システム制御装置２２５は、ネットワーク２２２を介して外部のシステム（ＨＩＳ、ＲＩＳ、ＰＡＣＳ等）と通信することが可能となる。
【００６３】
画像取得制御部２１６には、Ｘ線発生装置２５０のＸ線発生制御部２３０が接続されると共に、臥位センサパネル２０６により臥位のＸ線撮影が行える臥位センサユニット２０５が接続される。
【００６４】
＜システム制御装置２２５が備える各構成部＞
システム制御装置２２５、ここでは、上述したようなシステム制御装置２２５が備える各構成部について具体的に説明する。
【００６５】
操作／表示部２１２は、詳細は後述するが、液晶パネル、タッチセンサ、及びマウス等で構成される。操作／表示制御部２１３は、操作／表示部２１２の動作を制御する。
【００６６】
画像取得制御部２１６は、撮影準備として、Ｘ線発生装置２５０の設定に関わるパラメータをＸ発生制御部２３０に供給すると共に、グリッド速度等のセンサユニットに関するパラメータを臥位センサユニット２０５に供給する。また、画像取得制御部２１６は、臥位センサユニット２０５により得られた患者の撮影画像（Ｘ線ディジタル画像）を取得し、当該画像に対する各種画像処理を実行する。
【００６７】
通信部２１８は、ネットワーク２２２を介して、外部のシステム（ＨＩＳ、ＲＩＳ、ＰＡＣＳ等）からの検査依頼情報（図６参照）の受信、及び撮影実施の情報や変更した検査依頼情報に関する情報の送信等を行う。
【００６８】
撮影依頼情報チェック部２１５は、通信部２１８により入力した撮影依頼情報が、妥当かどうかチェックする。図１のチェックテーブルで示されるように、夫々の入力データに対し、定義の有無（ＮＵＬＬ値を許すかどうか）、データ種類、データ長、値の妥当性が適切であるかチェックを行う。適切でなかった場合は、チェックタイプテーブルで示される処理を行う。
【００６９】
データベース部２１７は、ハードディスク等の不揮発性記録媒体を含み、各種情報（センサユニットのキャリブレーションデータや各種設定データ等）を保存する。ＲＡＭ２２３は、例えば、画像取得制御部２１６で取得された撮影画像を一時的に保存する。また、ＲＡＭ２２３は、画像取得制御部２１６での画像処理実行の際等のワークエリアとして主に使用される。
【００７０】
画像転送部２１９は、ユーザからの指示等に基づいて、ＰＡＣＳ等該当する転送先に対して、該当するファイル形式で撮影画像データ等の転送を行う。通常は、ＤＩＣＯＭと呼ばれる、医療分野の画像通信規格に則って転送される。ＤＩＣＯＭでは、画像データと共に、撮影依頼情報や撮影実施情報のうち必要なものを、タグとして付加することになっている。
【００７１】
ＣＰＵ２２０は、システム制御装置２２５全体の動作制御、すなわちＸ線撮影システム２００全体の動作制御を司る。
【００７２】
＜操作／表示部２１２及び操作／表示制御部２１３の構成＞
図３、図４及び図５は、操作／表示部２１２の構成の一例を示したものである。
操作／表示部２１２では、操作／表示制御部２１３からの制御により、以下に説明するような機能が実施される。
【００７３】
まず、上記図３に示すように、操作／表示部２１２は、表示領域３１４〜３１８及び変更スイッチ３１９、システムボタン３２１を含むタッチパネル３１１と、マウス３１２と、システム制御装置２２５への接続線３１３とを備えている。
【００７４】
タッチパネル３１１は、液晶ディスプレイ及びアナログ抵抗模式タッチセンサーシート等から構成される。
接続線３１３は、電源、ＶＧＡケーブル、タッチパネル制御用シリアルケーブル、及びマウス用シリアルケーブル等のコード類を含む。
【００７５】
各種情報の表示はタッチパネル３１１で行なわれ、各種操作や情報の入力はタッチパネル３１１とマウス３１２の何れを用いても行えるように構成されている。
【００７６】
タッチパネル３１１の表示領域３１４〜３１８、３２０において、表示領域３１４は、患者の撮影画像を表示する領域であり、表示領域３１５は、患者情報を表示する領域である。表示領域３２０は、検査情報表示領域で、読影医師名、検査記述などを表示する。
【００７７】
表示領域３１６は、撮影毎の情報や撮影パラメータを表示する領域であり、表示領域３１７は、撮影の名称（撮影部位や撮影姿勢の名称等）を表示する領域である。撮影の名称は、各撮影に対応している。また、表示領域３１８は、システム状態等示す各種メッセージを表示する領域である。
【００７８】
タッチパネル３１１の変更スイッチ３１９は、撮影に関するパラメータを変更する場合に使用される。また、３２１はシステムボタンで、各種設定項目を行う設定画面を呼び出す働きがある。ここで呼び出される画面の１つに、撮影依頼情報チェックテーブル編集画面５がある。
【００７９】
上記図４は、通信部２１８より入力した撮影依頼情報に不適切なデータが含まれていた場合、操作／表示制御部２１２に表示する、撮影依頼情報修正ウインドウの一例を示したものである。
【００８０】
図４において、４０１はメッセージ、４０２は入力欄であり、年の枠の部分にフォーカスが当たりカーソルがついている、４０３は生年月日を入力するためのテンキー、４０４は入力したデータを確定するためのＯＫボタンである。この例では、生年月日の修正であるので、４０３はテンキーが配されているが、患者名（英語）、患者名（漢字）、患者名（カナ）の入力のときは夫々、アルファベットキーボード、日本語入力キーボードが表示される。
【００８１】
上記図５は、図１で示される撮影情報チェックテーブルの設定の為の設定画面の一例を示したものである。詳細は、以降に説明する。
【００８２】
＜撮影依頼情報＞
ＨＩＳおよびＲＩＳから入力される撮影依頼情報は図６で示され、患者に所属する患者情報、検査に所属する検査情報、検査の中の撮影に所属する撮影情報で構成される。この例では、１検査で４回の撮影が行われることを示している。
【００８３】
患者情報には、患者ＩＤ、患者氏名（英字）、患者氏名（漢字）、患者氏名（カナ）、生年月日、性別、アクセションＮｏ．、患者年齢、患者身長等がある。この例で、患者氏名に英字、漢字、カナの欄があるのは、使用できる文字コードが異なる検査装置がシステムにつながっているような場合に対応するためである。
【００８４】
検査情報には、検査番号、検査記述、参照医師名、読影医師名、依頼科、施設名などが含まれる。
撮影情報には、撮影を行う技師名、シリーズ記述等がある。
【００８５】
また、撮影毎の情報には、撮影情報のほかに、撮影を進めていく上で必要となる撮影特性パラメータ、画像取得条件パラメータ、画像処理パラメータ、及び画像転送パラメータなども同時に含まれる。これらのパラメータのデータベースは、ＲＩＳ側がもっている場合と、撮影システム側が持っている場合がある。
【００８６】
ＲＩＳ側が持っている場合は、ＲＩＳで、各種パラメータに展開して転送し、撮影システム側が持っている場合は、撮影方法を特定するためのプロシージャーＩＤを転送し、撮影システム側でパラメータに展開する。
【００８７】
転送された各種パラメータを統括するシンボルとして、撮影の名称（撮影部位や撮影姿勢の名称等）を表示する領域３１７に、“頚椎正面”“頚椎開口”などの名称で表示される。
【００８８】
＜Ｘ線撮影システム２００の動作＞
図７は、Ｘ線撮影システム２００の動作のシーケンス図であり、図８は、図７の検査依頼情報のチェック（ステップＳ１１）を、流れ図で示したものである。以下、Ｘ線撮影システム２００の動作について説明するが、ここでは、その一例として、ある患者の、頚椎４方向の撮影を行うものとする。なお、図７のシステムレイアウトは、従来例の図１１で示される。
【００８９】
図７のステップＳ１、ステップＳ２、ステップＳ３：
内科、外科、整形外科などの医師による撮影依頼の書かれた照射録カードと患者ＩＤの入力された磁気カードをもって、患者が、放射線科にやってくる。放射線技師は、患者が持ってきた照射録をみて、撮影依頼情報を発行して、撮影を行う撮影システムに送る。
【００９０】
先ず、技師は、患者が持ってきた磁気カードを使って、ＨＩＳサーバ１１３１に患者情報を問い合わせる（ステップＳ１）。その結果、ＨＩＳサーバ１１３１から、患者情報が転送される（ステップＳ２）。
【００９１】
次に、医師の撮影依頼の書かれた照射録カードを見ながら、どの撮影システムを使ってどのような撮影をするか決定し、ＲＩＳ端末１１２６から入力し実際に撮影を行う検査システム（図１０の１１２３（Ａ），１１２３（Ｂ），…）の中の該当するシステム（図１０の１１２３（ｘ）（ここでは、検査システム１１２３（Ａ）とする））に対して送信する（ステップＳ３）と共に、患者が持っていた磁気カードに検査番号を書き込む。
【００９２】
また、患者に対して、検査室（図１０の１１２１（Ａ））の前で待機するように指示する。患者は、検査室で、磁気カードと照射録カードを提出する。
【００９３】
頚椎４方向の撮影を考えているので、図６で示すように、１検査あたり４回の撮影が行える撮影依頼情報を転送することにする。通常、患者情報は、ＨＩＳサーバ１１３１より得られるが、ここでは、この患者が初診で生年月日がデータベースに入力されていなかったとして、技師が、この生年月日を入れ忘れた場合を考える。
【００９４】
図７のステップＳ１１：
放射線技師は、検査システム（図１０の１１２３（Ａ））、すなわち上記図２に示したＸ線撮影システム２００において、図示していないＩＤ入力部により、患者のＩＤ番号等の患者情報が記録された磁気カードを読み取り、当該患者情報に含まれる患者ＩＤ及び検査番号に基づいて、保持されている検査依頼情報リストの中から該当する検査依頼情報を選択し、操作／表示部２１２に、患者の氏名、年齢、性別などの患者を表示する。
【００９５】
この時、図２の検査依頼情報チェック部２１５によって、入力した検査依頼情報が正しいかどうかチェックを行い、正しくなければ修正を促す（ステップＳ１１）。
【００９６】
チェック及び、データを修正させる処理のフローを図８を用いて説明する。入力項目チェックは、後述する図５の設定画面により作成した図１の撮影依頼情報チェックテーブルに基づいて行われる。撮影依頼情のｉ番目のデータと図１の表のリスト番号はそれぞれ対応している。チェック及び、データの修正は、フローのステップＳ４〜Ｓ１５で行われる。
【００９７】
入力項目全てをチェックするために、ステップＳ２で、ループ回数にチェックを行う項目数を代入する。
ステップＳ４で、ｉ番目のデータのチェックタイプを図１より入力し、このチェックタイプに応じてステップＳ５〜ステップＳ１４で夫々のタイプに応じた処理が行われる。
【００９８】
タイプＡは、ステップＳ６〜ステップＳ９が実行される。ステップＳ６で、入力データの有無、データ種類、データ長、妥当値のチェックが行われ、正しければ“ＹＥＳ”の方に、誤っていれば“ＮＯ”の方に進む。
【００９９】
“ＮＯ”の場合は、ステップＳ７で、入力データ修正ウインドウ（図４）を表示する。図４は、撮影依頼情報修正ウインドウの一例である。入力欄４０２には、年の枠の部分にフォーカスが当たりカーソルがついていて、入力を促している。
【０１００】
図４のＯＫを押した時に、ステップＳ８及びステップＳ９により、データ有無のチェック、データ種類、データ長、妥当値のチェックが行われるので、正しくデータを入力しないと次の入力項目に移れない。
【０１０１】
チェックタイプＢは、ステップＳ１０〜ステップＳ１１で処理される。ステップＳ１０で入力データの有無、データ種類、データ長、妥当値のチェックが行われ、正しければ“ＹＥＳ”の方に、誤っていれば“ＮＯ”の方に進む。
【０１０２】
“ＮＯ”の場合は、技師に注意を促すために、ステップＳ１１により、操作／表示部２１２上のこの入力データが目立つような表示に変える。例えば、この入力データを目立つ色に変えたり、フォントの種類、大きさを変更したり、枠で囲ったりというＧＵＩ上の変更が考えられる。しかし、このデータは、必須ではないため、入力データ修正ウインドウ（図４）は呼び出さない。
【０１０３】
また、ステップＳ１１で変更した表示は撮影中ずっと表示しつづけると煩わしいので、撮影開始の時に解除してもよいし、照射とともに解除してもよい。撮影毎の情報である撮影情報は、注意表示フラグをもっていて、該当の撮影の時に該当のデータ表示部を変更することにしておくとより効果的である。
【０１０４】
チェックタイプＣは、ステップＳ１２でデータの有無のみをチェックして、データがあれば“有り”の処理を行い、“無し”の場合は、ステップＳ１３で、図示していない予め設定してあるデフォルト値か、予め設定してあるルールに基づいて値を求め入力する。この場合のルールとは、例えば、患者年齢であれば、患者生年月日とシステム時刻から年齢を算出するようなことである。
【０１０５】
チェックタイプＤでは、この項目がＨＩＳやＲＩＳで扱わない項目であるので、検査実施情報をＲＩＳに返すときに誤って送ってしまわないように、ステップＳ１４で破棄する。
【０１０６】
チェックタイプＥでは、図１のチェックテーブルに記載されているように何もしない。
本実施の形態では、ＲＩＳから必須項目である患者の生年月日が入力されなかったことを想定しているので、５番目のデータチェックのときに、ステップＳ６で、データが無いと判断されて、“ＮＯ”で示されるフローが行われる。
【０１０７】
ステップ７で、図４に示される入力データ修正ウインドウを表示して、データの修正を行わせる。この時、入力せずに“ＯＫ”ボタンを押したり、現在のシステム日時よりも後の日時を指定して“ＯＫ”を押すと、夫々、ステップＳ８、ステップＳ９により、再度図４に示される入力データ修正ウインドウが現われ入力が促される。結局、チェック項目全てを満たす数値を入力することで処理が完了する。
【０１０８】
以上、ステップＳ６〜Ｓ１４で各チェックタイプ毎のチェックを行い、ステップＳ１５でチェック対象を次の入力項目にずらす。以上により、撮影依頼情報の妥当性をチェックして、操作／表示部１１２には、例えば、上記図３に示したように、患者情報の表示領域３１５には、患者ＩＤが表示され、検査情報の表示領域３２０には、技師名が、撮影パラメータの表示領域３１６には、撮影パラメータに含まれる主なる項目データが表示され、撮影名称の表示領域３１７には、撮影パラメータグループＩＤに対応した撮影名称が表示される。
【０１０９】
ここでは頚椎４方向の撮影としているため、撮影名称の表示領域３１７には、「頚椎正面」の他に、「頚椎開口」、「頚椎側面」、及び「頚椎右後斜位」の撮影名称が表示される。
また、最初の撮影は、「頚椎正面」であるため、「頚椎正面」のボタンが選択された状態（太線で囲まれた状態）となる。
【０１１０】
図７のステップＳ４：
放射線技師は図３をみて、待合所で待機している患者を呼び出して、「頚椎正面」撮影が行えるように患者の整位を行う。
【０１１１】
画像取得制御部２１６は、撮影条件パラメータのうち、Ｘ線発生装置２５０の設定に関わるパラメータ（管球チャネル、管電流、照射距離、管電圧、照射時間、フォトタイマの位置、及びフォトタイマの閾値等のパラメータ）をＸ発生装置２５０に供給する。
【０１１２】
また、画像取得制御部２１６は、撮影に用いるセンサユニットとして、臥位センサ２０６をＲｅａｄｙ状態にして、グリッド速度等のセンサユニットに関するパラメータを臥位センサユニットへ供給する。
【０１１３】
このとき、画像取得制御部２１６は、データベース２１７に保存されている切換センサユニットのキャリブレーション情報を、ＲＡＭ２２３にダウンロードしておく。臥位センサユニットがデータを取り込める状態となり、Ｘ線管球の充電が完了して曝射できる状態となれば、Ｘ線撮影システム２００がＲｅａｄｙ状態となる。
【０１１４】
放射線技師は、操作／表示部２１２の近傍に据え付けてあるＸ線曝射スイッチ（不図示）を押下する。これにより、Ｘ線発生装置２５０では、Ｘ線発生制御部２３０の制御により、臥位センサユニットのグリッドが動作を始め、また、Ｘ線管球からＸ線が、撮影条件パラメータに示される照射時間の間のみ曝射される。
【０１１５】
Ｘ線曝射が開始されると、臥位センサユニットに組み込まれているフォトタイマ（不図示）により、Ｘ線線量が監視される。これは、Ｘ線がセンサユニットに到達するＸ線量を一定にするためである。
【０１１６】
ここでの監視の結果、ある一定の量のＸ線量が切換センサユニットに到達すると、上記の撮影条件パラメータに示される照射時間よりも短い時間であっても、フォトタイマによりＸ線の照射が遮断される。このようなフォトタイマによるＸ線遮断時間は、検査実施情報として撮影後に、指定された転送先に対して転送される。
【０１１７】
Ｘ線の照射が終了すると、切換センサユニットにより、患者の撮影画像（Ｘ線ディジタル画像）が生成される。画像取得制御部２１６は、当該撮影画像を取り込み、ＲＡＭ２２３へ一時的に保存させる。
【０１１８】
画像取得制御部２１６は、ＲＡＭ２２３へ保存した撮影画像に対して、キャリブレーションデータを用いた補正処理を施した後、撮影パラメータに含まれる画像処理パラメータに基づいた画像処理を施し、これらの処理後の撮影画像を、不慮の事故等に備えるために、データベース２１７へ保存させる。
【０１１９】
図７のステップＳ５、ステップＳ７：
放射線技師は、撮影依頼情報で要求された撮影全て（ここでは、４つの撮影）を終了した時、操作／表示部２１２に設けられた撮影終了ボタン（不図示）を押下する。これにより、通信部２１８が検査実施情報をＲＩＳのサーバに転送する（ステップＳ５）。検査実施情報とは、撮影依頼情報と実施済み情報を合わせたものである。
【０１２０】
更に画像転送部２１９は、撮影パラメータの画像転送パラメータ及び転送用画像処理パラメータに基づいて、データベース２１７内の撮影画像データを処理し、検査実施情報とともにＤＩＣＯＭ規格に応じたフォーマットで、ＰＡＣＳのサーバに転送する（ステップＳ７）。
【０１２１】
図７のステップＳ６、ステップＳ８、ステップＳ９、ステップＳ１０：
検査システムから送られた検査実施情報のうち、撮影枚数、撮影フィルム枚数、種類等会計情報に関わる項目を、ＨＩＳサーバに送るとともに（ステップＳ６）、検査実施情報をＲＩＳサーバに保存する（ステップＳ８）。
【０１２２】
また、ＨＩＳサーバに送られた会計情報は、ＨＩＳサーバのストレージに保存される（ステップＳ９）。ＰＡＣＳに送られた、画像データを検査実施情報はＰＡＳＣ内のストレージに保存される（ステップＳ１０）。
【０１２３】
以上のように、図８のチェックフローを行うことにより、入力する撮影依頼情報の妥当性のチェックが行え、適正でないときには正しい値に修正することができる。なお図１に示されるチェックテーブルの内容は、図５で示されるチェックテーブル編集画面により変更できる。
【０１２４】
＜撮影依頼情報チェックテーブル編集＞
図５は、図１で示される撮影依頼情報チェックテーブルを編集するための画面である。Ｘ撮影システム操作・表示部の画面（図３）の、“システム”ボタンを押下すると図５が呼び出される。
【０１２５】
図５の５０１は、撮影依頼情報チェックテーブル、チェックタイプテーブル、妥当値テーブルを切替えるためのタブで、この図では、チェックテーブルが選択された状態になっている。タブを切替えることにより、図１で示される、撮影依頼情報チェックテーブル５０、チェックタイプテーブル５１、妥当値テーブル５２が夫々編集可能となる。
【０１２６】
図５では、撮影依頼情報チェックテーブル５０の編集画面を図示する。５０２は、撮影依頼情報チェックテーブル中の患者情報毎の情報群と検査情報毎の情報群と撮影情報毎の情報群を切替えるための“情報群切り替えボタン”で、ここでは、患者情報が選択されている。
【０１２７】
５０３は、チェック項目リストで、Ｘ線撮影システムとＨＩＳ、ＲＩＳとの通信で使われるＡＰＩ（Ａｐｐｌｉｃａｔｉｏｎ  Ｐｒｏｇｒａｍｍｉｎｇ  Ｉｎｔｅｒｆａｃｅｓ）で通信されるパラメータが表示され、各項目の属性とチェック内容とチェックタイプが右側に記される。
【０１２８】
画面に入りきらないときは、５０５で示されるスクロールバーで移動させる。各項目のチェック内容を変更するときは、各項目の変更ボタン５０４を押下して、図示していないより詳細の変更が行える画面を呼び出して、変更を行う。
【０１２９】
全ての変更が有効の場合は、“ＯＫ”を押し、変更をキャンセルする場合は“ＣＡＮＣＥＬ”ボタン５０６を押す。変更した、テーブルはデータベース２１７に保存される。
【０１３０】
＜追加事項＞
運用先ごとに、チェック項目やチェック内容異なるが、図１のチェックテーブルを編集することで対応させる。それでも対応できない場合は、チェック項目を追加したり、チェックタイプテーブルの内容を変更したりすることで対応できる。
【０１３１】
上記の例では、撮影依頼情報の１項目ずつチェックを入れて、修正させているが、一度に複数のチェックを行い、複数の適正でないデータ全てを一度に修正させるフローでも問題はない。
【０１３２】
また、撮影依頼情報チェックテーブルのリスト以外にも、用途を限定しないフリーのメモリを幾つか持っている。これは、ＨＩＳ、ＲＩＳから送られてくる撮影依頼情報の一部に検査システムで定義されていない未定義データが含まれていた場合にここに代入しておき、ＰＡＣＳに送る時に、画像と共に転送できるようにするためである。
【０１３３】
以上の第１の実施の形態を遂行することにより、ＨＩＳ、ＲＩＳから送られるデータが無い場合や不適切な場合や未定義のデータ場合に、そのデータを正しくすることができ、データが無いことや不正なことによる不利益を被ることがなくなるとともに、あとで不正データを修正する煩わしさから開放される。
【０１３４】
［第２の実施の形態］
以上の例では、撮影依頼情報を選択したときに患者情報、検査情報、撮影情報のチェックを行っていたが、撮影情報のみは、撮影毎にチェックを行う方法も考えられる。図９は、第２の実施の形態のフローである。図７と同様の記号は、同様のステップであることを意味している。
【０１３５】
ステップＳ１１で、撮影依頼情報のうち患者情報と、検査情報のチェックおよびデータの校正を行い、続いて１番目の撮影に関する撮影情報のチェックおよびデータの校正を行う。ステップ４で、第１の実施の形態で記載したように、１番目の撮影を行う。
【０１３６】
２枚目の撮影に入る時に、ステップＳ１３で２番目の撮影に関する撮影情報のチェックおよびデータの校正を行ったあとで、ステップＳ４で撮影を行う。このステップＳ１３とステップＳ４を、繰り返して（頚椎４方向では、３回）必要とする画像を得る。
【０１３７】
第２の実施の形態では、撮影情報項目の１つである、技師名が、撮影室に行かないと決まらない場合や、撮影毎に技師が代わる場合に特に有効である。
【０１３８】
【発明の効果】
本発明の目的を達成するため、本出願に関わる第一の発明によれば、外部から検査に関する情報を入力して、検査を行う医療用検査システムにおいて、上記入力した検査に関する情報が適正か否かを判断する手段と、上記検査に関する情報が適正か否かを判断する手段の結果に基づき、上記検査に関する情報が適正でない場合に修正を促す手段または注意を促す手段を設けたことにより、ユーザに適正でないデータを示し、修正を促すため、会計業務、読影業務の信頼性を向上させる効果がある。
【０１３９】
本発明の目的を達成するため、本出願に関わる第二の発明によれば、外部から検査に関する情報を入力して、検査を行う医療用検査システムにおいて、上記入力した検査に関する情報が適正か否かを判断する手段と、上記検査に関する情報が適正か否かを判断する手段の結果に基づき、上記検査に関する情報が適正でない場合に適正に修正させる手段を設けたことで、より確実に入力データを適正な値にできるので、第一の発明よりも、会計業務、読影業務の信頼性を向上させる効果がある。
【０１４０】
本発明の目的を達成するため、本出願に関わる第三の発明によれば、外部から、複数の項目で構成される検査に関する情報を入力して、検査を行う医療用検査システムにおいて、上記入力した検査に関する情報が適正か否かを判断する手段と、上記検査に関する情報が適正か否かを判断する手段の結果に基づき、上記検査に関する情報が適正でない場合に修正または注意を促す手段と、上記検査に関する情報が適正か否かを判断する手段の結果に基づき、上記検査に関する情報が適正でない場合に適正に修正させる手段と、上記検査に関する情報に含まれる項目に応じて、上記修正または注意を促す手段、或いは適正に修正させる手段の何れかに切替える手段とをもつことで、撮影に必須の項目と任意の項目で入力データチェックを変えるため、入力業務および、会計業務、読影業務全ての効率が上がるという効果がある。
【０１４１】
本発明の目的を達成するため、本出願に関わる第四の発明によれば、外部から検査に関する情報を入力して、検査を行う医療用検査システムにおいて、上記外部から入力される検査に関する情報に含まれる未定義のデータを少なくとも検査が終了するまで保持する手段と、検査画像とともに、上記未定義のデータを出力する手段を持つことで、読影及び診断の精度と効率を上げるという効果がある。
【図面の簡単な説明】
【図１】撮影依頼情報チェックテーブルを示す図である。
【図２】本発明のＸ線撮影システムの構成を示す図である。
【図３】本発明のＸ線撮影システムの操作／表示部を示す図である。
【図４】入力情報チェックウインドウを示す図である。
【図５】撮影依頼情報チェックテーブル編集画面を示す図である。
【図６】撮影依頼情報の構成を説明するための図である。
【図７】第１の実施の形態のシーケンスを説明するための図である。
【図８】第１の実施の形態におけるデータチェック部の動作手順を示すフローチャートである。
【図９】第２の実施の形態のシーケンスを説明するための図である。
【図１０】従来例のＸ線撮影システムの構成図である。
【図１１】病院ネットワークシステムの概略図である。
【図１２】従来例のシーケンスを説明するための図である。
【符号の説明】
５０  撮影依頼情報チェックテーブル
５１  チェックタイプテーブル
５２  妥当値テーブル
２００  Ｘ線撮影システム
２０５  臥位センサユニット
２０６  臥位センサパネル
２１２  操作／表示部
２１３  制御部（操作／表示制御部）
２１５  撮影依頼情報チェック部
２１７  データベース保存部
２１８  通信部
２１６  画像取得制御部
２１９  画像転送部
２２０  ＣＰＵ
２２２  ネットワーク
２２３  ＲＡＭ
２２５  システム制御装置
２３０  Ｘ線発生制御部
２３１  Ｘ線管球
２５０  Ｘ線発生装置
２６０  バス
３１１  タッチパネル
３１２  マウス
３１３  システム制御装置への接続線
３１４  患者の撮影画像を表示する領域
３１５  患者情報を表示する領域
３１６  撮影毎の情報や撮影パラメータを表示する領域
３１７  撮影の名称（撮影部位や撮影姿勢の名称等）を表示する領域
３１８  システム状態等示す各種メッセージを表示する領域
３１９  変更スイッチ
３２１  システムボタン
４０１  メッセージ
４０２  入力欄
４０３  生年月日を入力するためのテンキー
４０４  ＯＫボタン
５０１  切替えるためのタブ
５０２  情報群切り替えボタン
５０３  チェック項目リスト
５０４  変更ボタン
５０５  スクロールバー
５０６  ＣＡＮＣＥＬボタン
５０７  ＯＫボタン
９００  Ｘ線撮影システム
９０１  Ｘ線発生制御部
９０２  操作／表示部
９０５  臥位センサユニット
９０６  臥位センサパネル
９０７  システム制御装置
９０８  操作／表示部
９０９  ＩＤ入力部
９２０  Ｘ線管球
９３０  Ｘ線発生装置
１１００  病院内のシステム
１１０９  ＷＳ（端末装置）
１１２１  検査室
１１２３  検査システム
１１２５  放射線部門
１１２６  サーバ
１１３１  サーバ
１１３２  部門（Ｘ）
１１３４  ＷＳ（端末装置）
１１４０  病院内の各部門間の情報システムであるＨＩＳ
１１６０  放射線部門内の情報システムであるＲＩＳ
１１８０  画像診断システムＰＡＣＳ
１１８１  サーバ
１１９０  ゲートウェイ
【図１】
2004171386.tif 000003
【図２】
2004171386.tif 000004
【図３】
2004171386.tif 000005
【図４】
2004171386.tif 000006
【図５】
2004171386.tif 000007
【図６】
2004171386.tif 000008
【図７】
2004171386.tif 000009
【図８】
2004171386.tif 000010
【図９】
2004171386.tif 000011
【図１０】
2004171386.tif 000012
【図１１】
2004171386.tif 000013
【図１２】
2004171386.tif 000014